(57)【要約】【課題】信号を処理する回路基板および信号端子に外部から入力される不要信号および回路基板により生じる不要輻射を低減可能なケーブルモデム装置を提供する。【解決手段】本発明のケーブルモデム装置は、回路基板２１をシールドする６面体のシールドケース３４と、回路基板との間の信号の入出力に利用される複数の端子３５を有する。各端子は、ノイズフィルタ機能を有し、シールドケースに固定されている。【選択図】    図４
2004363445.tif 000002
【特許請求の範囲】
【請求項１】
第１の回路基板をシールドする第１のケース体と、
この第１のケース体が位置された第２の回路基板を前記第１のケース体とともに収容してシールドする第２のケース体と、
この第２のケース体に設けられ、前記第２の回路基板と外部装置との間で信号の入出力に利用される端子と、
を備えることを特徴とするケーブルモデム装置。
【請求項２】
前記端子は、ノイズフィルタで構成されたことを特徴とする請求項１記載のケーブルモデム装置。
【請求項３】
前記第１のケース体に設けられ、前記第１の回路基板と前記第２の回路基板との間で信号の入出力に利用される第２の端子をさらに備えることを特徴とする請求項１または２記載のケーブルモデム装置。
【請求項４】
前記第２の端子は、ノイズフィルタで構成されたことを特徴とする請求項３記載のケーブルモデム装置。
【請求項５】
主としてアナログ信号を処理する第１の回路基板をシールドする第１のケース体と、
この第１のケース体を保持するとともに主としてデジタル信号を処理する第２の回路基板を前記第１のケース体とともに収容してシールドする第２のケース体と、
この第２のケース体に設けられ、前記第２の回路基板と外部装置との間で信号の入出力に利用される第１の端子または端子群と、
前記第１のケース体に設けられ、前記第１の回路基板と前記第２の回路基板との間で信号の入出力に利用される第２の端子または端子群と、
前記第２のケース体に設けられ、外部基板に前記第２のケース体を固定または接地可能とする突起部と、
を備えることを特徴とするケーブルモデム装置。
【請求項６】
前記第１の端子または端子群と前記第２の端子または端子群とは、前記第２の回路基板の面方向に直交するとともに、相互に対向する２辺に沿って配置されたことを特徴とする請求項５記載のケーブルモデム装置。
【請求項７】
前記第１のケース体は、少なくとも前記第１の回路基板の面方向と直交する４面をシールド可能な４面体と、この４面体により定義される少なくとも１面の開口面を有し、前記第１の端子または端子群は、前記４面体の任意の１面に設けられることを特徴とする請求項５記載のケーブルモデム装置。
【請求項８】
前記第２のケース体は、少なくとも前記第２の回路基板の面方向と直交する４面をシールド可能な４面体と、この４面体により定義される少なくとも１面の開口面を有し、前記第２の端子または端子群は、前記４面体の任意の１面に設けられることを特徴とする請求項５記載のケーブルモデム装置。
【請求項９】
前記第２のケース体の前記第２の端子または端子群が設けられる面と前記第１のケース体の前記第１の端子または端子群が設けられる面は、互いに対向されるとともに、両面間に、前記第１の回路基板を位置させた状態に配置されることを特徴とする請求項７または８記載のケーブルモデム装置。
【請求項１０】
信号の入出力に利用される第１の端子または端子群と接続可能な接続部が直線状に設けられ、主としてアナログ信号を処理する第１の回路基板に、第１の端子または端子群が所定の面に設けられた第１のシールドケースを配置し、
信号の入出力に利用される第２の端子または端子群と接続可能な接続部が第１の端子または端子群と概ね平行かつ少なくとも第１の回路基板を第１の端子または端子群との間に介在可能に、直線状に設けられ、主としてデジタル信号を処理する第２の回路基板に、第１のシールドケースによりシールドされた第１の回路基板を配置し、
第２の回路基板に、第２の端子または端子群が所定の面に設けられた第２のシールドケースを配置する、
ことを特徴とするケーブルモデム装置の組立方法。
【請求項１１】
主としてアナログ信号を処理する回路基板と、
この回路基板の面方向と直交する４面に沿って配列された枠体と、この枠体の開口面にそれぞれ配置されることにより、前記回路基板をシールドする６面体のシールドケースを提供する第１および第２のカバー部材と、
この第１および第２のカバー部材と上記枠体とによりシールドされた上記回路基板と上記シールドケースの外側に位置され、主としてデジタル信号を処理する第２の回路基板との間で信号の入出力に利用される端子と、
を備えることを特徴とするケーブルモデム装置。
【請求項１２】
前記端子は、ノイズフィルタで構成されたことを特徴とする請求項１１記載のケーブルモデム装置。
【発明の詳細な説明】
【０００１】
【発明の属する技術分野】
この発明は、信号を処理する回路基板および信号端子に外部から入力される不要信号および回路基板により生じる不要輻射を低減可能なケーブルモデム装置に関する。
【０００２】
【従来の技術】
ＲＦケーブル（同軸コネクタ）により外部から信号を受信し、または内部回路で処理された信号を外部へ送信するケーブルモデム装置において、小型化やユニット化（ケーブルモデム装置を単体の装置とすることなく同時に利用される他の装置に組み込む）が要求されている。
【０００３】
ユニット化したケーブルモデム装置すなわちケーブルモデムユニットを他の装置に組み込む場合、ケーブルモデムユニット（回路基板）で処理される受信信号や、回路基板内で生成された信号に不要信号が重畳されること、および回路基板からの不要輻射が外部へ洩れることは、十分に抑止されなければならない。
【０００４】
このため、受信信号や、回路基板内で生成された信号に不要信号が重畳されること、および回路基板からの不要輻射が外部へ洩れることを抑止するために回路基板をシールドケース内に収納することが、既に広く実施されている。
【０００５】
なお、基板の周囲を、弾性を有する樹脂材でモールドした上下カバー（側面を含む）とフロントパネルとリヤパネルとにより覆ったモデム筐体の組立構造が提案されている（例えば、特許文献１参照）。
【０００６】
また、同軸ケーブル取り付け部が一体に設けられた基板の４面をシールド板で覆って通信品位を高めた送受信一体型高周波装置が提案されている（例えば、特許文献２参照）。
【０００７】
【特許文献１】
特開平３−２２４２９５号公報（第１図、第３頁左下欄第１行ないし同欄第２０行、請求項１）。
【０００８】
【特許文献２】
特開２００２−１６５２４号公報（図１、図６、段落［００６１］〜［００６８］、請求項１１）。
【０００９】
【発明が解決しようとする課題】
ところで、特許文献１または２、あるいは両者に記載された構成を例に、回路基板（ケーブルモデムユニット）をシールドケースでシールドしたとしても、他の装置への組み込みに適した形状あるいは他の装置との間の送受信に利用される端子群の配列および特別な構造はあまり考慮されていない。
【００１０】
また、シールドケースに収納された回路基板すなわちケーブルモデムユニットを他の装置に組み込む場合、小型化の要求に従って空間的な余裕分が僅かであることに起因して、例えばＲＦコネクタを取り付ける工程等において、組立効率が低下する問題がある。
【００１１】
なお、例えば回路基板からの端子群がＲＦコネクタと異なる方向に延出されている場合、ＲＦコネクタと回路基板とをシールドケースに収容した状態で、余裕分（隙間）の少ない外装ケース内に収納しようとすると、端子（群）が折れたり変形する問題がある。
【００１２】
この発明の目的は、作業ミスが生じにくく、高い組立作業性が得られ、しかも不要信号の重畳および不要輻射の漏洩を低減可能で、通信品位の高い信号の送受信が可能なケーブルモデム装置を提供することである。
【００１３】
【課題を解決するための手段】
この発明は、上述問題点に基づきなされたもので、第１の回路基板をシールドする第１のケース体と、この第１のケース体が位置された第２の回路基板を前記第１のケース体とともに収容してシールドする第２のケース体と、この第２のケース体に設けられ、前記第２の回路基板と外部装置との間で信号の入出力に利用される端子と、を備えることを特徴とするケーブルモデム装置、を提供するものである。
【００１４】
また、この発明は、主としてアナログ信号を処理する第１の回路基板をシールドする第１のケース体と、この第１のケース体を保持するとともに主としてデジタル信号を処理する第２の回路基板を前記第１のケース体とともに収容してシールドする第２のケース体と、この第２のケース体に設けられ、前記第２の回路基板と外部装置との間で信号の入出力に利用される第１の端子または端子群と、前記第１のケース体に設けられ、前記第１の回路基板と前記第２の回路基板との間で信号の入出力に利用される第２の端子または端子群と、前記第２のケース体に設けられ、外部基板に前記第２のケース体を固定または接地可能とする突起部と、を備えることを特徴とするケーブルモデム装置、を提供するものである。
【００１５】
さらに、この発明は、信号の入出力に利用される第１の端子または端子群と接続可能な接続部が直線状に設けられ、主としてアナログ信号を処理する第１の回路基板に、第１の端子または端子群が所定の面に設けられた第１のシールドケースを配置し、信号の入出力に利用される第２の端子または端子群と接続可能な接続部が第１の端子または端子群と概ね平行かつ少なくとも第１の回路基板を第１の端子または端子群との間に介在可能に、直線状に設けられ、主としてデジタル信号を処理する第２の回路基板に、第１のシールドケースによりシールドされた第１の回路基板を配置し、第２の回路基板に、第２の端子または端子群が所定の面に設けられた第２のシールドケースを配置する、ことを特徴とするケーブルモデム装置の組立方法、を提供するものである。
【００１６】
【発明の実施の形態】
以下、図面を参照しながら本発明の実施の形態について説明する。
【００１７】
図１に示されるように、例えばＣＡＴＶ網に接続され、予め契約された加入者に映像プログラムや音楽プログラムまたは文字データを受信し、また加入者から入力される情報を送信元に伝送可能なデータ通信用の通信端末として、ケーブルモデム装置が知られている。なお、センター局から各端末（加入者）には、例えば９０〜８６０ＭＨｚ程度の高周波の受信信号（下り信号）で映像プログラムや文字データが配信される。また、各端末からセンター局には、例えば５〜６５ＭＨｚ程度の高周波の送信信号（上り信号）で情報が送信可能である。
【００１８】
ケーブルモデム装置あるいはケーブルモデムユニットを実装したＣＡＴＶ端末装置（通信端末）１は、図１に一例を示すが、例えば外装ケース２、主回路基板３、電源回路基板４、ケーブルモデムユニット５、フロントパネル６およびリヤパネル７等からなる。なお、フロントパネル６には、詳述しないが、例えば受信チャンネルやセンター局からのメール等の着信の有無を表示する表示装置、電源スイッチ、音声出力用のフォノジャックあるいは遠隔操作用リモート端末（リモコン）からの制御信号を受信する受光部（窓）等が配置されている。また、リヤパネル７には、詳述しないが、例えばＣＲＴ（テレビモニタ）装置やディスプレイ装置に映像信号を出力する映像出力端子群、テレビモニタ装置や音声増幅装置（オーディオアンプ）等に音声信号を出力する音声端子群、電源回路基板４に商用電源を供給可能なＡＣライン、および以下に説明するが、ケーブルモデムユニット５の所定の位置に設けられているＲＦコネクタ等が配置されている。
【００１９】
ケーブルモデムユニット５は、図２に、概略ブロックを示すが、例えばセンター局との間の信号の送受信に利用されるＲＦ（同軸）ケーブルが接続されるＲＦコネクタ（同軸コネクタ）５１、以下に説明するさまざまな回路および機能ブロックが配置される回路基板２１、ＲＦコネクタ５１を介して入出力される高周波信号を処理するチューナ部２２、チューナ部２２を介して周波数変換された下り信号（アナログ信号）をデジタル信号に変換するＡ／Ｄコンバータ２３、Ａ／Ｄコンバータ２３を介してデジタル信号に変換された下り信号を復調して、データ化する復調部２４、上り信号（デジタル信号）を生成するＭＡＣ（Ｍｅｄｉａ  Ａｃｃｅｓｓ  Ｃｏｎｔｒｏｌ）部２５、ＭＡＣ部２５により生成された上り信号をアナログ信号に変換するＤ／Ａコンバータ２６、ＭＡＣ部２５に入力された下り信号を外部装置に出力するためのイーサネット（希にエサーネットとも発音される，ｅｔｈｅｒｎｅｔ）規格等に準拠したインタフェース２７、個々の回路および機能ブロックの動作を制御する主制御回路（マイクロコンピュータ）２８およびメモリ２９等からなる。なお、ケーブルモデムユニット５は、主回路基板３の所定位置に、例えばリヤパネル７の所定位置からＲＦコネクタ５１を外部に向けて突出させた状態に配置されている。
【００２０】
ＲＦコネクタ５１は、回路基板２１の所定位置に、例えば半田により、あるいはカシメもしくは接触子の接触により、固定されている。また、ケーブルモデムユニット５を動作させるための電源は、主回路基板３に設けられた電源回路基板４から供給される。
【００２１】
図３は、図１に示したケーブルモデム装置の主回路基板に配置されるケーブルモデムユニットの機械的要素の特徴の一例を説明する概略図である。
【００２２】
図３に示されるように、ケーブルモデムユニット５は、図２を用いて説明した個々の回路および機能ブロックが設けられている回路基板２１の周囲４面を覆うとともに外部からの電磁波すなわち不要信号および回路基板２１で発生する不要輻射をシールドする金属ケース３１、４面体の金属ケース３１の一方の開口を覆うとともに同様に回路基板２１をシールドする第１の平面部（第１のカバー）３２、および金属ケース３１の他の一方の開口を覆うとともに同様に回路基板２１をシールドする第２の平面部（第２のカバー）３３により形成された６面体または類似した形状の筐体（シールドケース）３４（と筐体３４内部に位置される回路基板２１）からなる。
【００２３】
このように、回路基板２１を金属等により形成され、略６面を覆うようなシールドケース３４内に収納することで、ケーブルモデムユニット５の内外を電磁波の不要輻射から遮蔽することでき、かつケーブルモデムユニット５が組み込まれる実装する外部装置もしくは回路からのノイズである不要輻射の影響による通信機能の劣化を低減することができる。
【００２４】
また、ケーブルモデムユニット５からケーブルモデム装置が組み込まれる外部装置もしくは回路へのノイズおよび不要信号としての不要輻射を低減する効果がある。これにより、ケーブルモデムユニット５単体の性能が向上される。
【００２５】
回路基板２１の所定の位置には、図２を用いて説明した個々の回路およびブロックからの信号および個々の回路およびブロックへの信号の入出力、インタフェイス２７経由したデジタル信号の入出力、ならびに個々のブロックへ電源を供給するための電気的接続に利用される端子３５が、所定の数だけ配列されている。なお、個々の端子３５は、例えば貫通コンデンサ等を含み、外来ノイズあるいは不要な信号に対するフィルタ機能を有する。すなわち、個々の端子３５から進入するノイズおよび不要信号を低減することができ、ケーブルモデムユニット単体の性能が高められる。また、ケーブルモデムユニット５が組み込まれる外部装置あるいは回路に対し、ケーブルモデムユニット５で発生されたノイズおよび不要信号が漏洩することが低減され、外部装置もしくは回路への妨害が抑止できる。
【００２６】
それぞれの端子３５は、４面体の金属ケース３１の所定の面を介して筐体３４の外部（金属ケース３１の４面のうちの任意の一面）と接続可能に形成されている（実際の製造工程から見ると、予め筐体３４の所定位置に固定された端子３５が回路基板２１に設けられた詳述しない対応する孔に挿入され、例えば半田等により回路基板２１の所定のパターンと接続される）。すなわち、端子３５の金属ケース３１へ固定される側と反対側の端部（脚部）は、回路基板２１に予め設けられている貫通孔の軸線方向と同じ方向に向けられている。
【００２７】
筐体３４の所定の面すなわち４面体の金属ケース３１のうちの端子３５が固定される面とは異なる面には、回路基板２１に固定されているＲＦコネクタ５１を筐体３４の外部に露出可能とする切り欠き３４Ａが形成されている。
【００２８】
すなわち、４面体の金属ケース３１の任意の一面に、ＲＦコネクタ５１に対応される切り欠き３４Ａを設けたことにより、回路基板２１の所定位置に予めＲＦコネクタ５１を固定した状態で、ＲＦコネクタ５１の軸方向と直交する方向で、かつ端子３５の回路基板２１の対応する孔に挿入される側の脚部が回路基板２１の貫通孔の軸線方向と平行となるように、金属ケース３１を回路基板２１に装着することが可能となる。
【００２９】
このように、回路基板２１の周囲を覆う４面体の金属ケース３１の任意の一面であって、回路基板２１に固定されているＲＦコネクタ５１を避ける位置に切り欠き３４Ａを設けることにより、同軸ケーブル用のコネクタ５１を持つ回路基板２１に端子３５を持つ金属ケース３１を装着する際に、回路基板２１を傾斜することなく、金属ケース３１の開口面（第１および第２のカバー３２，３３が装着される面）を水平に保ったまま、金属ケース３１を、その開口面に対して垂直に挿入することが可能となる。
【００３０】
この構成により、回路基板２１の所定の位置に挿入される端子３５を基板２１の対応する貫通孔に確実に挿入可能で、しかも回路基板２１に端子３５の軸線の方向と異なる方向に軸線が向けられて固定されているＲＦコネクタ５１とケース３１とが不所望に接したり、端子３５の任意のまたは複数のもしくは全てが対応する貫通孔に挿入されずにその一部が折れ曲がることが抑止される。
【００３１】
従って、ＲＦコネクタ５１または端子３５のいずれかまたは両者に不所望な傷が生じたり端子３５が折れ曲がることが防止されるとともに、ＲＦコネクタ５１が固定されている回路基板２１に複数の端子３５が予め取り付けられている金属ケース３１を装着する工程の作業性が改善され、その工程に要求される作業時間が低減される。
【００３２】
このことは、ケーブルモデムユニット５およびケーブルモデムユニット５を含むケーブルモデム装置１の組立コストを低減可能で、最終製品のコストダウンにつながる。
【００３３】
また、例えばケーブルモデムユニット５（すなわちシールドケース３４の任意の部分）に、詳述しないが、ユニット５を他の基板、例えば図示しないホスト基板（マザーボード）に固定可能とするための脚部または突起部（脚または端子）１１１を設けることで、ユニット５を、ホスト基板に、容易に実装（固定）することができる。すなわち、脚部または突起部（脚または端子）１１１をシールドケース３４と一体に形成したことにより、半田づけ、または簡易なコネクタ等を用いることで、安価に、シールドケース３４をホスト基板に、容易に実装可能となる。例えば、図示しないがホスト基板側のグランド（接地）パターン部に脚部または突起部１１１が挿入される構造であれば、ユニット５すなわちシールドケース３４の脚部または突起部１１１を、例えば半田づけ等により固定できる。また、シールドケース３４の脚部または突起部１１１を受け入れるホスト基板側の構造が、例えばコネクタタイプ等に代表される装着／離脱可能型であれば、動作確認や修理（交換）時に、簡単に交換できる。
【００３４】
なお、４面体の金属ケース３１の第２の開口面を覆う第２のカバー３３の所定の位置すなわち回路基板２１に固定されているＲＦコネクタ５１に第２のカバー３３が近接する部分を金属ケース３１の側に突出させて突出部３３Ａを設けて、ＲＦコネクタ５１の近傍に位置させることで、筐体３４に切り欠き３４Ａを設けることにより金属ケース３１に形成される開口面積（切り欠き３４Ａ）の大きさが削減される。また、切り欠き部３４Ａを覆う突出部（遮蔽部）３３Ａは、第２のカバー３３と一体である必要はなく、別ピースによることも可能である。
【００３５】
これにより、切り欠き３４Ａによる開口からの外来の不要輻射が入力され、あるいは内部回路からの不要輻射がケーブルモデムユニット５の外部へ出力されることが低減される。従って、高品位な信号の送受信が可能となる。
【００３６】
また、図３に示した筐体すなわちシールドケース３４では、４面体である金属ケース３１は、開口面が２面であるが、シールドケース３４と第１のカバー３２を一体として、開口面を１面とすることもできる。
【００３７】
図４は、図１ないし図３に示したケーブルモデムニットの変形例を示す概略図である。なお、図４においては、ケーブルモデムユニットの回路基板に組み付けられるチューナ部を、独立のシールドケース内に収容した例を示している。
【００３８】
詳細には、ケーブルモデムユニット１０５は、図２を用いて前に説明した個々の回路および機能ブロックが設けられている回路基板２１に組み付けられるチューナ部２２に対応されるチューナ部基板１５０（図４に概略的に示されている）の少なくとも周囲４面を覆うとともに外部からの電磁波をシールドする金属ケース１５１および４面体の金属ケース１５１の一方の開口を覆うとともに外部からの電磁波をシールドするチューナ部カバー（チューナ部平面部）１５２からなる少なくとも５面の金属板からなる筐体すなわちチューナ部シールドケース１５４と、チューナ部シールドケース１５４の外側を覆うシールドケース３４からなる。なお、シールドケース３４は、図３を用いて前に説明したシールドケースと実質的に同様に構成される。
【００３９】
このように、チューナ回路基板１５０をチューナ部シールドケース１５４に収納することで、回路基板２１に実装されているマイコン（主制御回路２８）およびメモリ２９等からのチューナ部２２への不要輻射によるノイズ等の飛び込みを低減できる。
【００４０】
また、回路基板２１をシールドケース３４内に収納したので、ケーブルモデムユニット１０５の外側からみると２重シールド構造となる。すなわち、ケーブルモデムユニット１０５のチューナ部２２への外部からの不要輻射によるノイズの飛び込みをより低減することができる。その結果、高品位な受信が可能となる。
【００４１】
チューナ部シールドケース１５４の４面体の金属ケース１５１の任意の一面には、回路基板２１のチューナ部２２すなわちチューナ部基板１５０からの信号の出力およびチューナ部基板１５０（チューナ部２２）への信号の入力に利用される端子１５５が、所定の数だけ配列されている。なお、個々の端子１５５は、４面体の金属ケース１５１の所定の面に固定された状態で、回路基板２１の所定位置に形成されている詳述しない貫通孔に挿入され、例えば半田等により回路基板２１の所定のパターンと接続される。
【００４２】
個々の端子１５５は、例えば貫通コンデンサ等のノイズおよび不要信号を低減するフィルタ機能を備えた端子である。従って、端子１５５を介して入出力される信号に不所望なノイズおよび不要信号が重畳されることが低減され、チューナ部２２の送受信性能が高められる。
【００４３】
また、個々の端子１５５は、好ましくはシールドケース３４の端子３５が配列される面と反対の側に配列される。すなわち、チューナ部シールドケース１５４に固定されている端子１５５の金属ケース１５１へ固定される側と反対側の端部（脚部）は、回路基板２１に予め設けられている貫通孔の軸線方向と同じ方向に向けられている。
【００４４】
すなわち、チューナ部２２内で扱われる信号および端子１５５を介して入出力される信号は、微弱なアナログ信号であることが多いため、ノイズが重畳されると通信品質が損なわれることが非常に多く、また、外側のシールドケース３４に設けられた端子３５を介して入出力される高速のデジタル信号による不要輻射やその信号に重畳しているノイズおよび不要輻射の影響により、センター局との間の通信品位が劣化する可能性がある。
【００４５】
このため、上述した通り、外側のシールドケース３４に位置される端子３５とチューナ部シールドケース１５４に位置される端子１５５とを上述および図５により具体例を示すように、シールドケース３４およびチューナ部シールドケース１５４を、上下のカバーが延びる面と直交する方向から見た状態（４面体の任意の平行な２面で切断した状態）で、互いに反対の側の位置される。
【００４６】
換言すると、シールドケース３４の端子３５と、チューナ部シールドケース１５４のチューナ部２２（チューナ回路基板１５０）の端子１５５とは、回路基板２１上で、ほぼ対向する辺に沿って配置されている。すなわち、回路基板２１側で信号の入出力に利用される端子３５とチューナ部２２側で信号の入出力に利用される端子群１５５とを、回路基板２１上で遠ざけることで、不要輻射の影響を最小限に抑えることができる。これにより、チューナ部２２は、センター局との間で、高品位な送受信が可能となる。
【００４７】
なお、図４および図５に示したシールドケース３４およびチューナ部シールドケース１５４を有するケーブルモデムユニット１０５は、例えば信号の入出力に利用される第１の端子または端子群１５５と接続可能な詳述しない接続部が直線状に設けられ、主としてアナログ信号を処理する回路基板２２（チューナ部回路基板１５０）に、第１の端子または端子群１５５が所定の面に設けられた第１のシールドケース１５４を配置し、信号の入出力に利用される第２の端子または端子群３５と接続可能な詳述しない接続部が第１の端子または端子群１５５と概ね平行かつ少なくとも回路基板２２を第１の端子または端子群１５５との間に介在可能に、直線状に設けられ、主としてデジタル信号を処理する回路基板２１に、シールドケース１５４によりシールドされた回路基板２２（チューナ部）を配置し、回路基板２１に、第２の端子または端子群３５が所定の面に設けられた第２のシールドケース３５を配置することにより、特別な組立工程を必要とすることなく、容易に組み立てることができる。
【００４８】
シールドケース３４の所定の面すなわち４面体の金属ケース３１のうちの端子３５が固定される面とは異なる面には、図３により前に説明したと同様に、回路基板２１に固定されているＲＦコネクタ５１をシールドケース３４の外部に露出可能とする切り欠き３４Ａが形成されている。
【００４９】
従って、図４に示す例では、回路基板２１の所定位置に配置されたチューナ部２２を覆うチューナ部シールドケース１５４の外側を、チューナ部シールドケース１５４の所定の位置から突出されたＲＦコネクタ５１がチューナ部２２に固定された状態で、ＲＦコネクタ５１の軸方向と直交する方向であって、チューナ部の端子１５５とシールドケース３４の外部との信号の入出力に利用される端子３５のそれぞれが回路基板２１の対応する孔に挿入される側の脚部が回路基板２１の貫通孔の軸線方向と平行となるように、シールドケース３４の金属ケース３１を回路基板２１に装着することができる。
【００５０】
すなわち、回路基板２１の所定の位置に挿入される端子３５と端子１５５（チューナ部２２）を、回路基板２１の対応する貫通孔に確実に挿入可能で、しかも回路基板２１に端子３５および端子１５５の軸線の方向と異なる方向に軸線が向けられて固定されているＲＦコネクタ５１と金属ケース３１および金属ケース１５１とが不所望に接したり、端子３５および端子１５５の任意のまたは複数のもしくは全てが回路基板２１に予め設けられている対応する貫通孔に挿入されずにその一部が折れ曲がることが抑止される。
【００５１】
従って、ＲＦコネクタ５１または端子３５および端子１５５のいずれかまたはそれぞれに不所望な傷が生じたり、端子３５または端子１５５が折れ曲がることが防止されるとともに、ＲＦコネクタ５１が固定されている回路基板２１に複数の端子３５および端子１５５が予め取り付けられている金属ケース３１および金属ケース１５１を装着する工程の作業性が改善され、その工程に要求される作業時間が低減される。
【００５２】
このことは、ケーブルモデムユニット１０５およびケーブルモデムユニット１０５を含むケーブルモデム装置１の組立コストを低減可能で、最終製品のコストダウンにつながる。
【００５３】
また、４面体の金属ケース３１の第２の開口面を覆う第２のカバー３３の所定の位置すなわち回路基板２１に固定されているＲＦコネクタ５１に第２のカバー３３が近接する部分を金属ケース３１の側に突出させて突出部（遮蔽部）３３Ａを設けて、ＲＦコネクタ５１の近傍に位置させることで、筐体３４に切り欠き３４Ａを設けることにより金属ケース３１に形成される開口面積（切り欠き３４Ａ）の大きさが削減される。なお、切り欠き部３４Ａを覆う突出部３３Ａは、第２のカバー３３と一体である必要はなく、別ピースによることも可能である。
【００５４】
これにより、切り欠き３４Ａによる開口からの外来の不要輻射が入力され、あるいは内部回路からの不要輻射がケーブルモデムユニット１０５の外部へ出力されることが低減される。従って、高品位な信号の送受信が可能となる。
【００５５】
また、例えばケーブルモデムユニット１０５（すなわちシールドケース３４の任意の部分）に、詳述しないが、ユニット１０５を他の基板、例えば図示しないホスト基板（マザーボード）に固定可能とするための脚部または突起部（脚または端子）１１１を設けることで、ユニット１０５を、ホスト基板に、容易に実装（固定）することができる。すなわち、脚部または突起部（脚または端子）１１１をシールドケース３４と一体に形成したことにより、半田づけ、または簡易なコネクタ等を用いることで、安価に、シールドケース３４をホスト基板に、容易に実装可能となる。例えば、図示しないがホスト基板側のグランド（接地）パターン部に脚部または突起部１１１が挿入される構造であれば、ユニット５すなわちシールドケース３４の脚部または突起部１１１を、例えば半田づけ等により固定できる。また、シールドケース３４の脚部または突起部１１１を受け入れるホスト基板側の構造が、例えばコネクタタイプ等に代表される装着／離脱可能型であれば、動作確認や修理（交換）時に、簡単に交換できる。
【００５６】
なお、脚部または突起部１１１は、シールドケース３４とシールドケース３４内に位置される第２のシールドケース（チューナ部シールドケース１５４）との間の絶縁あるいはアイソレーションの確保のために有益である。すなわち、脚部または突起部１１１により、シールドケース３４とチューナ部シールドケース１５４内に位置されるチューナ部２２（チューナ回路基板１５０）の接地側と外部基板の接地側の電圧が異なるような場合であっても外側のシールドケース３４を接地（グランド）できるので、外部基板からチューナ回路基板１５０に回り込むノイズおよび不要信号が低減され、通信品質の高いケーブルモデム装置が得られる。
【００５７】
なお、図３ないし図５を用いて説明した実施の形態は、ＲＦコネクタに限らず、シールドケースの外側に突出する部品を持つ場合に関して有効である。
【００５８】
例えば、図６を用いて以下に示すように、回路基板２２１上の異なる辺の側にそれぞれ配置された部品２２３および２２４を持ち、それぞれがシールドケース２３４（第１のカバー２３１を含む）の外側に突出する場合に関してもシールドケース２３４に切り欠き部２３４Ａおよび２３４Ｂを設けることで、図３および図４に示した例と同様の効果が得られる。また、シールドケース２３４（４面体）の開口面に設けられる下カバー（第２のカバー）２３３に突出部２３３Ａおよび２３３Ｂを設けることで、上述したと同様に、シールドケース２３４に形成される開口面積（切り欠き２３４Ａおよび２３４Ｂ）の大きさが低減される。なお、切り欠き部を覆う突出部２３３Ａおよび２３３Ｂは、カバー２３３と一体である必要はなく、別ピースによることも可能である。
【００５９】
これにより、切り欠き２３４Ａおよび２３４Ｂによる開口からの外来の不要輻射が入力され、あるいは内部回路（回路基板２２１）からの不要輻射がケーブルモデムユニット２０５の外部へ出力されることが低減される。従って、高品位な信号の送受信が可能となる。また、図３および図４を用いて前に説明したと同様に、シールドケース２３４の所定の位置に、例えば図示しないホスト基板に固定可能とするための脚部または突起部（脚または端子）１１１を設けることで、ユニット２０５を、ホスト基板に、容易に実装（固定）することができる。
【００６０】
また、図１ないし図６においては、ＣＡＴＶ端末装置に組み込まれるケーブルモデムユニットのシールドケースを例に説明したが、例えば図７を用いて以下に説明するように、端末装置がゲーム機等であっても適用できる。
【００６１】
例えば図７に示すようなゲーム機５０１においては、外装ケース５０２、主回路基板５０３、電源回路基板５０４、ケーブルモデムユニット５０５、フロントパネル５０６およびリヤパネル５０７等からなる。なお、フロントパネル５０６には、詳述しないが、コントローラ（入力装置）５１１が接続可能である。
【００６２】
図７に示したゲーム機５０１はまた、例えばセンター局からダウンロード可能なゲームソフトやバージョンアップデータまたはハイスコアデータ等を記憶可能なハードディスクドライブ装置（ＨＤＤ）や、対戦型ゲームにおいてセンター局にエントリされている任意の対戦相手との通信を確保／切断可能な通信ユニット等が設けられている。なお、ゲームソフトの主要な部分が、例えばＤＶＤ規格のディスク媒体や特定の規格の記憶媒体（カートリッジあるいはカード）を介して供給される場合に備えて、ディスクドライブ装置やカード（カートリッジ）スロットが一体に組み込まれていてもよい。
【００６３】
なお、詳細な説明を省略するが、主回路基板５０３の所定の位置には、図３または図４および図５を用いて前に説明したと同様に、例えばＲＦコネクタ５５１が回路基板５２１に取り付けられたケーブルモデム５０５が固定されている。
【００６４】
また、ケーブルモデム５０５は、シールドケース５３４および上カバー５３２および下カバー５３３により、シールドされているので、外来の不要輻射が回路基板５２１に入力され、または回路基板５２１からの不要輻射がケーブルモデムユニット５０５の外部へ出力されることが低減される。
【００６５】
従って、本発明の実施の形態であるケーブルモデムユニット（シールド機構）を用いることにより、高品位な信号の送受信が可能となる。
【００６６】
なお、この発明は、上記各実施の形態に限定されるものではなく、その実施の段階ではその要旨を逸脱しない範囲で種々な変形・変更が可能である。また、各実施の形態は、可能な限り適宜組み合わせて実施されてもよく、その場合、組み合わせによる効果が得られる。
【００６７】
【発明の効果】
以上説明したようにこの発明によれば、同軸ケーブルと接続が可能なコネクタが設けられた回路基板の周囲を６面体もしくは類似した形状のシールドケースによりシールドし、シールドケースに収容される回路基板との間で信号の入出力に用いられる端子をノイズフィルタタイプとしてシールドケースに固定したことにより、高品位な信号の送受信が可能となる。
【図面の簡単な説明】
【図１】この発明の実施の形態であるケーブルモデムユニットが組み込まれるケーブルモデム装置あるいはケーブルモデムユニットを実装したＣＡＴＶ端末装置（通信端末）の一例を説明する概略図。
【図２】図１に示した通信端末に組み込まれるケーブルモデムユニットの構成の一例を示す概略ブロック図。
【図３】図１に示した通信端末の主回路基板に配置されるケーブルモデムユニットの機械的要素の特徴の一例を説明する概略図。
【図４】図１に示した通信端末の主回路基板に配置されるケーブルモデムユニットの機械的要素の特徴の別の一例を説明する概略図。
【図５】図４に示したケーブルモデムユニットにおいて、シールドケース内に収容される回路基板との間の信号の入出力に利用される端子の配列例を説明する概略図。
【図６】図１に示した通信端末の主回路基板に配置されるケーブルモデムユニットの機械的要素の特徴のさらに別の一例を説明する概略図。
【図７】図１に示した通信端末とは異なる端末装置に組み込まれるケーブルモデムユニットの構成の一例を示す概略ブロック図。
【符号の説明】
１…ケーブルモデム装置あるいはケーブルモデムユニットを実装したＣＡＴＶ端末（通信端末）、３…主回路基板（第２の回路基板）、４…電源回路基板、５，１０５，２０５，５０５…ケーブルモデムユニット、２１…回路基板（第１の回路基板）、２２…チューナ部、３１，１５１…金属ケース（４面体）、３２，２３１…第１のカバー、３３，２３３…第２のカバー、３３Ａ，２３３Ａ，２３３Ｂ…突起部（遮蔽部・第２のカバー）、３４，２３４…シールドケース（６面体の筐体）、３４Ａ，２３４Ａ，２３４Ｂ…切り欠き（シールドケース）、３５，１５５…端子、５１…ＲＦコネクタ、１１１…脚部または突起部、１５０・・・チューナ回路基板、１５２…チューナ部カバー、１５４…チューナ部シールドケース。
【図１】
2004363445.tif 000003
【図２】
2004363445.tif 000004
【図３】
2004363445.tif 000005
【図４】
2004363445.tif 000006
【図５】
2004363445.tif 000007
【図６】
2004363445.tif 000008
【図７】
2004363445.tif 000009